(57)【要約】【課題】  携帯電話装置の所持状況を正確に判断でき、上記所持状況によって、自動的に着信通知手段を選択できる携帯電話装置を提供する。【解決手段】  携帯電話の操作部または表示部側面に脈拍センサを備え、かつ脈拍センサの出力信号から人体所持状況を判断する手段を備え、人体所持状況を判断する手段により人体所持を検出した場合、着信音をミュートし、着信ＬＥＤを点滅させる、または着信音をミュートし、バイブレータを振動させる、または着信音の音量を周囲の人に迷惑にならない程度に音量を下げる。【選択図】図１
2006080946.tif 000002
【特許請求の範囲】
【請求項１】
着信音を再生する発音体と着信ＬＥＤを備えた携帯電話装置において、脈拍センサと脈拍センサの出力信号から、該携帯電話装置の所持状況を判断する手段を備え、前記携帯電話装置の所持状況を判断する手段により、該携帯電話装置の所持を検出した場合、着信時に自動的に着信音を停止せしめ、着信ＬＥＤを点滅せしめる手段を備えたことを特徴とする携帯電話装置。
【請求項２】
着信音を再生する発音体と着信を報知せしめるバイブレータを備えた携帯電話装置において、脈拍センサと脈拍センサの出力信号から、該携帯電話装置の所持状況または人体接触状況を判断する手段を備え、前記携帯電話装置の所持状況または人体接触状況を判断する手段により、該携帯電話装置の所持または人体接触を検出した場合、着信時に自動的に着信音を停止せしめ、バイブレータを動作せしめる手段を備えたことを特徴とする携帯電話装置。
【請求項３】
着信音を再生する発音体を備えた携帯電話装置において、脈拍センサと脈拍センサの出力信号から、該携帯電話装置の所持状況または人体接触状況を判断する手段を備え、前記携帯電話装置の所持状況または人体接触状況を判断する手段により、該携帯電話装置の所持または人体接触を検出した場合、着信時に自動的に着信音の音量を低減せしめる手段を備えたことを特徴とする携帯電話装置。
【請求項４】
前記脈拍センサを携帯電話装置の側面に備えたことを特徴とする、請求項１、請求項２、または請求項３に記載の携帯電話装置。
【請求項５】
通話音を再生する発音体と着信音を再生する発音体を単一の発音体で共用し、前記脈拍センサを、前記発音体と同一面に配置したことを特徴とする請求項２または請求項３に記載の携帯電話装置。
【請求項６】
前記脈拍センサを用いて、携帯電話装置の所持状態または人体接触状態を判定する手段が、該携帯電話装置の待ち受け受信動作中に該脈拍センサから出力される脈波信号の変化の有無により判定することを特徴とする請求項１、請求項２、または請求項３に記載の携帯電話装置。
【発明の詳細な説明】
【技術分野】
【０００１】
本発明は、携帯電話装置の着信通知手段の制御方法に係り、携帯電話装置の所持状態等により、自動的に着信通知手段を切り替える携帯電話装置に関するものである。
【背景技術】
【０００２】
近年携帯電話は誰もが所持し、あらゆる場所で使用されている。通常携帯電話装置においては、着信があった場合、内蔵したスピーカを大音量で鳴動させ、着信通知を使用者に報知せしめるため、状況によっては周囲の者に迷惑を及ぼすことがある。
【０００３】
例えば、電車に乗車中であったり、会議中であったりする場合である。この様な、騒音による迷惑防止の手段として、マナー・モードに設定しバイブレータによる着信通知等が知られている。しかしながら上記機能は手動による設定であるため設定をし忘れる等の課題があった。
【０００４】
上記課題に対して、携帯電話装置に温度センサを備え、人体接触時の温度と周囲温度との中間温度を超えた場合、人が所持していると判断し、自動的に着信通知手段を切り替える提案がなされている（例えば、特許文献１参照）。
【０００５】
しかしながら、温度センサによる所持状況の判断は、携帯電話装置を衣服の中に入れておいた場合等、必ずしも人が所持していることを判断することができない。
【０００６】
また、通話音を再生するレシーバと着信音を再生するスピーカを単一の発音体で構成する携帯電話装置において、大音量を放音する着信音により、耳の鼓膜に障害を及ぼす課題に対して、１）着信音量を除々に増大させる。２）鼓膜に障害を及ぼさない程度に音量を規制する。３）基準音を超える音量の増加速度を制限する。等の提案がなされている（例えば、特許文献２、特許文献３参照）。
【０００７】
しかしながらいずれの提案も以下のような課題がある。１）着信音量を除々に増大させる。２）鼓膜に障害を及ぼさない程度に音量を規制する。については使用者が携帯電話装置をかばんや衣服のポケット等に入れておいた場合、着信音が鳴動していることを使用者が認知する十分な音量が得られない、または十分な音量に至るまである程度時間がかかるという問題がある。
【０００８】
また、３）基準音を超える音量の増加速度を制限する。については着信メロディを配信するコンテンツ・プロバイダや使用者が作成した着信メロディを忠実に再現できない課題がある。
【特許文献１】特開２００２−２９０５０８号公報
【特許文献２】実開昭６１−２９５５５号公報
【特許文献３】特開２００２−１８５５７１号公報
【発明の開示】
【発明が解決しようとする課題】
【０００９】
解決しようとする問題点は、携帯電話装置の所持状況を正確に判断でき、上記所持状況によって、自動的に着信通知手段を選択できる携帯電話装置を提供する。また、通話音を再生するレシーバと着信音を再生するスピーカを単一の発音体で構成する携帯電話装置において、着信音再生時に耳に障害を与えず、使用者に確実に着信を報知せしめ、しかも使用者や着信メロディ配信のコンテンツ・プロバイダが作成した着信メロディを着信時に忠実に再生できる携帯電話装置を提供する。
【課題を解決するための手段】
【００１０】
上記、課題を解決するために、請求項１に記載の発明は、着信音を再生する発音体と着信ＬＥＤを備えた携帯電話装置において、脈拍センサと脈拍センサの出力信号から、該携帯電話装置の所持状況を判断する手段を備え、前記携帯電話装置の所持状況を判断する手段により、該携帯電話装置の所持を検出した場合、着信時に自動的に着信音を停止せしめ、着信ＬＥＤを点滅せしめる手段を備えたものである。これにより、人が携帯電話装置を所持している状況を自動的に判断し、着信音を停止させることで周囲の人に迷惑をかけず、着信ＬＥＤの点滅により使用者に着信を通知できる効果がある。
【００１１】
また、請求項２に記載の発明は、着信音を再生する発音体と着信を報知せしめるバイブレータを備えた携帯電話装置において、脈拍センサと脈拍センサの出力信号から、該携帯電話装置の所持状況または人体接触状況を判断する手段を備え、前記携帯電話装置の所持状況または人体接触状況を判断する手段により、該携帯電話装置の所持または人体接触を検出した場合、着信時に自動的に着信音を停止せしめ、バイブレータを動作せしめる手段を備えたものである。これにより、人が携帯電話装置を所持しているまたは携帯電話装置に触れている状況を自動的に判断し、着信音を停止させることで周囲の人に迷惑をかけず、バイブレータの振動により着信状態であることを使用者が確実に認識できる効果を得ることができる。
【００１２】
また、請求項３に記載の発明は、着信音を再生する発音体を備えた携帯電話装置において、脈拍センサと脈拍センサの出力信号から、該携帯電話装置の所持状況または人体接触状況を判断する手段を備え、前記携帯電話装置の所持状況または人体接触状況を判断する手段により、該携帯電話装置の所持または人体接触を検出した場合、着信時に自動的に着信音の音量を低減せしめる手段を備えたものである。これにより、人が携帯電話装置を所持しているまたは携帯電話装置に触れている状況を自動的に判断し、周囲の人に騒音の迷惑を及ぼさない音量まで音量を低減させることで周囲の人に騒音の迷惑をかけず、携帯電話装置使用者が着信状態であることを確実に認識できる効果を得ることができる。
【００１３】
また、請求項４に記載の発明は、前記脈拍センサを携帯電話装置の側面に備えたものである。これにより、携帯電話装置の使用者が携帯電話装置を所持している状態を確実に検出できる効果が得られる。
【００１４】
また、請求項５に記載の発明は、通話音を再生する発音体と着信音を再生する発音体を単一の発音体で共用し、前記脈拍センサを、前記発音体と同一面に配置したものである。これにより、携帯電話使用者が発音体を耳に当てている状態を確実に検出でき、着信音を停止、または、耳に障害を及ぼさない音量まで低減せしめることにより、使用者の耳に障害を与えず、携帯電話装置使用者が着信状態であることを確実に認識できる。
【００１５】
また、請求項６に記載の発明は、該脈拍センサを用いて、携帯電話装置の所持状態または人体接触状態を判定する手段が、該携帯電話装置の待ち受け受信動作中に該脈拍センサから出力される脈波信号の変化の有無により判定するものである。これにより、脈拍センサのセンシングによる消費電流を最適化でき、所持状態または人体接触状態の判定もれを防止できる効果を得ることができる。
【発明の効果】
【００１６】
本発明によれば、携帯電話装置の所持状況を正確に判断し、その所持状況に応じて自動的に適切な着信通知を行うことが可能な携帯電話装置を提供することができる。
【発明を実施するための最良の形態】
【００１７】
以下、本発明の実施の形態を、図面を参照して詳細に説明する。本発明の実施の形態に係る携帯電話装置１００の外観図を図１、回路構成図を図２、使用形態を示す図を図３、人体接触検出手段のフローチャートを図４に示す。
【００１８】
図１および図２において、携帯電話装置１００は、受信電波を受信電気信号（以下受信信号と称す）ならびに送信電気信号（以下送信信号と称す）を送信電波に変換するアンテナ１０１、アンテナ１０１から受信信号を受信回路１０３へ伝達、または送信回路１０６から送信信号をアンテナ１０１へ伝達させるための共用器１０２、受信信号を増幅し、所望の周波数チャネルを選択する受信回路１０３、受信回路１０３で選択された周波数チャネルの受信信号をデジタル信号に復調し、受信音声データと受信制御情報に変換する復調器１０４、送信制御情報、送信音声データを変調し送信信号に変換する変調器１０５、送信信号を所望の周波数チャネルの搬送波に重畳し、送信信号を増幅する送信回路１０６、携帯電話装置１００の各部を制御するマイクロプロセッサ１６０、マイクロプロセッサ１６０が実行する制御プログラムデータ、演算結果などのデータが格納されるメモリ１６１を有する。
【００１９】
また、携帯電話装置１００は、受信音声データを復号化し受信音声信号に変換する通話音声デコーダ１１１、送信音声信号を符号化し送信音声データに変換する通話音声エンコーダ１２０、マイクロプロセッサ１６０からの指令により着信音、着信メロディを生成し出力する着信音音源１１０、着信音音源１１０または通話音声デコーダ１１１からの着信音信号または受信音声信号に対してそれぞれの再生帯域における通過帯域制限処理を行うデジタルフィルタ１１２、着信音信号または受信音声信号をアナログ信号に変換するＤ／Ａ変換器１１３、着信音信号または受信音声信号を所定の音量に設定する音量設定器１１４、着信音信号または受信音声信号を増幅しスピーカ１１６を駆動するスピーカアンプ１１５、着信音または受信音声を再生するスピーカ１１６を有する。
【００２０】
さらに、携帯電話装置１００は、送話音声を電気信号に変換するマイク１２３、マイク１２３からの送話音声信号を増幅するマイクアンプ１２２、送話音声信号をデジタル信号に変換するＡ／Ｄ変換器１２１、操作部１７０の側面に配置された脈拍センサ１７２、スピーカ１１６と同一面で、スピーカ１１６の近傍に配置された脈拍センサ１７１、着信状態を光で携帯電話装置１００の使用者に報知せしめる着信ＬＥＤ１８０、着信状態を振動で携帯電話装置１００の使用者に報知せしめるバイブレータ１８１、キー入力によって所定の操作情報をマイクロプロセッサ１６０に送出する操作部１７０を有している。
【００２１】
携帯電話装置１００は、待ち受け受信状態において、基地局からの着信信号を受信するため図５に示す如く間欠受信動作を行う。間欠受信動作における受信周期は数百ミリ秒から数秒である。またマイクロプロセッサ１６０は間欠受信動作において、受信区間４１４のみ共用器１０２、受信回路１０３、復調器１０４を動作させて受信制御情報を受信し、着信情報等の所望の情報を受信するとともに、受信動作で消費される消費される消費電流が低減されるよう制御する。
【００２２】
脈拍センサ１７１、１７２は光電脈波方式のセンサであり、ＬＥＤから発する赤外線の人体内部での反射光をフォトデテクタで検出し、血管を流れる血流の変化を検出し脈波信号として出力する。脈拍センサ１７１、１７２から出力される脈波信号はＡＤ変換器１７３、１７４で量子化され脈波データとしてマイクロプロセッサ１６０に読み取られる。
【００２３】
音量設定器１１４は、マイクロプロセッサ１６０の指令によって、任意の音量を設定できる回路構成となっており、またマイクロプロセッサ１６０の指令によってミュート状態にも設定できる回路構成となっている。またバイブレータ１８１はマイクロプロセッサ１６０の指令によって、図示せぬモータを駆動し振動を発生する回路構成となっている。また着信ＬＥＤ１８０はマイクロプロセッサ１６０の指令によって、周期的にＬＥＤが点滅する回路構成となっている。
【００２４】
次に、本発明の実施の形態に係る携帯電話装置１００の動作について説明する。人間の脈拍数は成人において、安静状態で一分間に７０〜８０が平均的である。したがって脈波の周期を検出するためには少なくとも１秒間は脈拍センサをセンシングする必要がある。脈拍センサのセンシングを常時行った場合、消費電流が著しく増加し待ち受け時間が短くなってしまう。一方着信時に脈拍センサのセンシングを行った場合、着信から着信音を鳴動させる時間に１秒以上の遅延が発生してしまう。
【００２５】
本発明の実施の形態に係る携帯電話装置１００においては、待ち受け受信状態の間欠受信動作中の受信状態で脈波の変化を検出し、変化があったときのみ脈波の周期を検出することで人体接触または人体所持状態を判定する手段を用いている。これにより脈拍センサのセンシングによる動作消費電流を必要最低限に抑え、かつ着信時に遅延なく着信通知手段を選択できるようになっている。
【００２６】
次にマイクロプロセッサ１６０が処理する人体所持状態を判定する手段について、図４のフローチャートを用いて説明する。携帯電話装置１００が図５に示す間欠受信動作を行っており、非受信状態４１２であった場合、ステップＳ４０１で非受信と判断され所持状態の判定処理は行われない。次に受信状態４１３であった場合、ステップＳ４０２で受信中と判断され、脈拍センサ１７２をセンシングしＡ／Ｄ変換器１７４から脈波データを読み取る。次に前回の受信状態４１１で読み取った脈波データと比較し（ステップＳ４０３）、変化がない場合は今回読み取った脈波データを次の受信状態４１５での比較処理（ステップＳ４０３）に用いるため前回の受信状態での脈波データとしてメモリ１６１に記憶、更新し（ステップＳ４０５）、非所持状態と判断する（ステップＳ４０８）。また比較処理（ステップＳ４０３）にて変化ありと判断した場合は、１秒間程度、脈拍センサ１７２をセンシングしＡ／Ｄ変換器１７４を介し脈波データを取り続け、脈波データの周期的な変化を測定する（ステップＳ４０４）。次に測定データから周期変化の有無を判断し（ステップＳ４０６）、周期変化がない場合は、非所持状態と判断する（ステップＳ４０８）。また判断処理（ステップＳ４０６）にて周期変化がある場合は、所持状態と判断する（ステップＳ４０７）。
【００２７】
また、スピーカ１１６の近傍に配置した脈拍センサ１７１をセンシングし、耳への接触、非接触を判断する手段は、上記説明したように、脈拍センサ１７２を用いた手段と同様である。
【００２８】
携帯電話装置１００の使用者が図３（Ａ）のように脈拍センサ１７２を覆うように持った状態において、マイクロプロセッサ１６０は、人体所持状態の判定する手段を用いて所持状態であると判断する。このとき着信があった場合、マイクロプロセッサ１６０は、１）音量設定器１１４に対し、着信音をミュートする指令を行うとともに、着信ＬＥＤ１８０を点滅せしめる。あるいは、２）音量設定器１１４に対し、着信音をミュートする指令を行うとともにバイブレータ１８１を駆動せしめる。あるいは、３）音量設定器１１４に対し、音量を周囲の人に迷惑を掛けない程度の音量に設定する指令を行い、着信状態であることを使用者に報知する。
【００２９】
また前記１）、２）、３）の動作は携帯電話装置１００の使用者があらかじめ、操作部１７０から、入力した設定情報により、いずれかの動作が選択されるようになっている。
【００３０】
また携帯電話装置１００の使用者が図３（Ｂ）のように脈拍センサ１７２を耳に接触させて使用している状態において、マイクロプロセッサ１６０は、人体接触状態の判定する手段を用いて接触状態であると判断する。このとき着信があった場合、マイクロプロセッサ１６０は、４）音量設定器１１４に対し、着信音をミュートする指令を行うとともにバイブレータ１８１を駆動せしめる。あるいは、５）音量設定器１１４に対し、耳に障害を与えない程度の音量に設定する指令を行い、着信状態であることを使用者に報知する。
【００３１】
また前記４）、５）の動作は携帯電話装置１００の使用者があらかじめ、操作部１７０から、入力した設定情報により、いずれかの動作が選択されるようになっている。
【００３２】
また本発明の実施の形態に係る携帯電話装置１００では、着信後の受信動作において、脈拍センサ１７２、１７４をセンシングし、周期的な脈波変化を検出しており脈波の周期変化を検出した場合、マイクロプロセッサ１６０は自立的に音量設定器１１４に対し、着信音をミュートする指令を行うとともにバイブレータ１８１を駆動せしめる。あるいは、音量設定器１１４に対し、音量を制限するようになっている。したがって、携帯電話装置１００の使用者が、着信後に脈拍センサ１７２、１７４に触れても、着信音を停止あるいは、着信音の音量を低減せしめることが可能である。
【００３３】
以上説明したように、本発明の実施の形態によれば、人体特有情報であるの脈波を人体所持状態、あるいは人体接触状態の判断手段に用い、着信通知手段の選択を行っているため、確実に人体所持状態、あるいは人体接触状態の判断ができる。
【産業上の利用可能性】
【００３４】
本発明は、所持状況を正確に判断し、その所持状況に応じて自動的に適切な着信通知を行うことが可能な効果を有し、携帯電話装置等に有用である。
【図面の簡単な説明】
【００３５】
【図１】本発明の携帯電話装置（１００）の外観図
【図２】本発明の携帯電話装置（１００）の回路構成図
【図３】本発明の携帯電話装置の使用形態
【図４】人体所持状態を判定する処理のフローチャート
【図５】携帯電話装置の間欠動作を示す説明図
【符号の説明】
【００３６】
１００  携帯電話装置
１０１  アンテナ
１０２  共用器
１０３  受信回路
１０４  復調器
１０５  変調器
１０６  送信回路
１１０  着信音音源
１１１  通話音声デコーダ
１１２  デジタルフィルタ
１１３  Ｄ／Ａ変換器
１１４  音量設定器
１１５  スピーカアンプ
１１６  スピーカ
１２０  通話音声エンコーダ
１２１  Ａ／Ｄ変換器
１２２  マイクアンプ
１２３  マイク
１４２  表示部
１６０  マイクロプロセッサ
１６１  メモリ
１７０  操作部
１７１  脈拍センサ
１７２  脈拍センサ
１７３  Ａ／Ｄ変換器
１７４  Ａ／Ｄ変換器
１８０  着信ＬＥＤ
１８１  バイブレータ
【図１】
2006080946.tif 000003
【図２】
2006080946.tif 000004
【図３】
2006080946.tif 000005
【図４】
2006080946.tif 000006
【図５】
2006080946.tif 000007